(57)【特許請求の範囲】
【請求項１】
周囲が外枠で覆われており、その外枠の内側に、金属製で、遊技球を貯留するための遊技球タンクに設けられた嵌合突起に嵌合する嵌合部を有するミドル枠が設置されているとともに、そのミドル枠の後方に、導電性材料或いは帯電防止剤を含有した合成樹脂製の複数の部品を連結してなる機構板が設置されたパチンコ機であって、
前記機構板を構成する各部品の連結部分の少なくとも一部及び前記嵌合部と前記遊技球タンクとの間に、金属板および／または導電性材料を介在させる一方、前記機構板の一部を前記ミドル枠に接触させた状態で設置したことを特徴とするパチンコ機。
【発明の詳細な説明】
【０００１】
【発明の属する技術分野】
本発明は、パチンコ機に関するものである。
【０００２】
【従来の技術】
パチンコ機は、軽量で腐食しにくい合成樹脂によって、多くの部材が形成される。しかしながら、合成樹脂は、誘電率が低く静電気が溜まり易い性質を有しているため、滞留した静電気に起因して、合成樹脂製の遊技部材と隣接した作動内容を制御する制御装置が誤作動を起こすおそれがある。それゆえ、従来のパチンコ機の中には、静電気の滞留を防止するために、静電気の溜まり易い機構板、遊技球タンク、下皿等の遊技部材を、帯電防止剤や導電性材料を含有した合成樹脂によって形成し、それらの遊技部材からアース線を引き出し、機台外部の金属に放電するように構成したものがある。
【０００３】
【発明が解決しようとする課題】
しかしながら、上記の如く所定の遊技部材にアース線を設けたパチンコ機は、滞留した静電気を十分に放電除去することができず、制御装置が誤作動してしまうことがあった。また、パチンコ機の中には、機構板を、製造時の組み付けの容易さ等の点から、複数の部材を連結して形成するように構成したものもあるが、かかるパチンコ機は、機構板の各部材の連結部分に、特に静電気が溜まり易く、アース線を設けても効果的に静電気を除去することができないため、制御装置が誤作動してしまう頻度が高かった。
【０００４】
本発明の目的は、上記従来のパチンコ機が有する課題を解消し、静電気の滞留を防止する性能（以下、静電気滞留防止性能という）に優れており、滞留した静電気に起因した制御装置の誤作動が生じないパチンコ機を提供することにある。
【０００５】
【課題を解決するための手段】
かかる本発明の構成は、周囲が外枠で覆われており、その外枠の内側に、金属製で、遊技球を貯留するための遊技球タンクに設けられた嵌合突起に嵌合する嵌合部を有するミドル枠が設置されているとともに、そのミドル枠の後方に、導電性材料或いは帯電防止剤を含有した合成樹脂製の複数の部品を連結してなる機構板が設置されたパチンコ機であって、前記機構板を構成する各部品の連結部分の少なくとも一部及び前記嵌合部と前記遊技球タンクとの間に、金属板および／または導電性材料を介在させる一方、前記機構板の一部を前記ミドル枠に接触させた状態で設置したことにある。
【０００６】
なお、帯電防止剤としては、陽イオン性界面活性剤、陰イオン性界面活性剤、非イオン性界面活性剤、両性界面活性剤等の種々の界面活性剤等の帯電防止剤を用いることができる。また、導電性材料としては、カーボンブラック、炭素繊維、フェライト、各種の金属等の導電性材料を用いることができる。また、帯電防止剤や導電性材料を含有させる樹脂としては、ポリカーボネート、ＡＢＳ樹脂、ポリフェニレンオキサイド、ポリエステル、アクリル樹脂、ポリオレフィン、ゴム、およびそれらの変性物等を用いることができ、特に限定されない。なお、カーボンブラックを充填したポリカーボネート、フェライトを含有したＡＢＳ樹脂、炭素繊維を充填したＡＢＳ樹脂は、高い導電性を有しており、かつ衝撃強度にも優れているので、導電性材料を含んだ合成樹脂として好適に用いることができる。一方、絶縁材料としては、アクリル樹脂、フッ素樹脂、エポキシ樹脂等の絶縁性の高い各種の樹脂や、セラミックス等の絶縁材料を用いることができる。
【０００７】
【発明の実施の形態】
以下、本発明のパチンコ機の一実施形態について、図面に基づいて詳細に説明する。
【０００８】
図１、図２は、それぞれ、パチンコ機の斜視図、背面図である。パチンコ機１は、周囲が外枠１７によって覆われており、前面上方には、ガラス枠を嵌め込んだ前枠１１が片開き自在に取り付けられている。また、前枠１１の下側には、中扉１２が、前枠１１と同様に、片開き自在に取り付けられており、その中扉１２の略中央には、ポリカーボネート製の上皿１３が突設されている。さらに、中扉１２の下側には、下側機能部１５が設置されており、その下側機能部１５の略中央には、導電性のカーボンブラックを充填したポリカーボネートからなる下皿１４が突設されている。
【０００９】
一方、外枠１７の内側には、金属製のミドル枠２が設置されている。ミドル枠２の前面には、各種の入賞装置を設置し多数の障害釘を植設した遊技盤（図示せず）が嵌め込み設置されている。図３は、ミドル枠２の斜視図であり、ミドル枠２は、縦長の長方形状に形成されており、周縁が前側に折り曲げられている。そして、周縁よりやや内側に、一体的に後方へ膨出した膨出領域１８が設けられており、その膨出領域１８の中央よりやや上方が、大きく開口した状態になっている。さらに、膨出領域１８の左上方には、右面を開口した直方体状の嵌合部１９が溶接されている。また、図４は、前枠１１と中扉１２とを片開きした状態を示したものであり、下側機能部１５に設けられた下皿１４は、ミドル枠２と接触した状態で嵌合設置されている。
【００１０】
また、図２の如く、ミドル枠２の後方には、機構板３が、一部をミドル枠２に接触させた状態で設置されている。そして、機構板３の中央よりやや下側には、パチンコ機１の作動内容を制御する制御装置２６が設置されている。図５、図６は、それぞれ、機構板３の斜視図（一部を省略して示す斜視図）、分解図であり、機構板３は、第一部材５、第二部材６等によって、略Ｌ字状に組み立て形成されている。第一部材５は、導電性材料であるフェライトを含有したＡＢＳ樹脂によって形成されており、通路部材７、遊技球払出装置８等が上下に連設されている。一方、第二部材６は、帯電防止剤であるカチオン性界面活性剤を含有したＡＢＳ樹脂によって形成されており、入賞球検出装置９等が設置されている。図７は、第一部材５と第二部材６との結合部分を拡大して示したものでああり、第一部材５下端の第二部材６と当接する部分には、フェライトを含有した導電性塗料からなる導電層２０が設けられている。
【００１１】
一方、図５、図６の如く、第一部材５の上方には、基板設置部２１が凹状に設けられており、その基板設置部２１には、種々の電気部品・電子部品２７，２７・・を搭載した中継基板２２が嵌め込み設置されている。図８は、基板設置部２１の一部を拡大して示したものであり、基板設置部２１の内壁には、アクリル樹脂からなる絶縁層２３が積層されており、その絶縁層２３を介在させた状態で、中継基板２２が嵌め込み設置されている。
【００１２】
また、図２の如く、パチンコ機１の背面の上端際には、パチンコホールから供給される遊技球を貯留するための遊技球タンク４が設置されている。遊技球タンク４は、炭素繊維を充填したＡＢＳ樹脂によって形成されており、左端の嵌合突起２５の表面（外面）には、鉄板２８が当着されている。そして、遊技球タンク４は、右端の突出部分を、機構板３の上端際の内側に設けられた挿入口２４に挿入させ、左端の嵌合突起２５をミドル枠２の嵌合部１９に挿入して接触させた状態で、止着部材１６により、右上の部分を第一部材５の上端際の内側に止着することによって、ミドル枠２および第一部材５の上端際に設置されている。図９は、遊技球タンク４の嵌合突起２５がミドル枠２の嵌合部１９に挿入された状態を示したもの（水平方向の断面図）であり、嵌合突起２５は、鉄板２８を介して嵌合部１９と接触した状態になっている。
【００１３】
かかるパチンコ機１においては、遊技球タンク４から流下した遊技球が、第一部材５の内部を流下して、遊技球払出装置８の内部まで流下する。そして、遊技盤に設置された入賞装置に遊技球が入賞した場合には、遊技球払出装置８内の遊技球が、その入賞に相当する個数だけ遊技球払出装置８によって計数された後に、前面の上皿１３に断続的に払い出される。さらに、上皿１３が遊技球で満たされた場合には、溢れた遊技球が下皿１４まで流下する。
【００１４】
パチンコ機１は、上記の如く、遊技部材の少なくとも一部が、帯電防止剤あるいは導電性材料を含んだ合成樹脂（すなわち、カーボンブラックを充填したポリカーボネート、フェライトを含有したＡＢＳ樹脂、カチオン性界面活性剤を含有したＡＢＳ樹脂、炭素繊維を充填したＡＢＳ樹脂）によって形成されており、少なくとも一部を金属製のミドル枠２に接触させた状態で設置されている。このため、それらの帯電防止剤あるいは導電性材料を含んだ合成樹脂製の遊技部材から金属製のミドル枠に静電気が効率良く流れ、機台外部まで流れるので、静電気滞留防止性能に優れており、滞留した静電気に起因したトラブルが発生しにくい。
【００１５】
また、パチンコ機１は、遊技球タンク４が、鉄板２８を当着したものであり、その鉄板２８をミドル枠２に接触させた状態でミドル枠２に設置されているため、遊技球タンク４とミドル枠２との連結部分に静電気が溜まりにくく、遊技球タンク４とミドル枠２との連結部分に滞留した静電気に起因したトラブルが発生しにくい。
【００１６】
さらに、パチンコ機１は、静電気の滞留し易い遊技球タンク４、機構板３、および下皿１４が、帯電防止剤あるいは導電性材料を含んだ合成樹脂によって形成されており、少なくとも一部をミドル枠２に接触させた状態で設置されているため、非常に高い静電気滞留防止性能を有しており、滞留した静電気に起因したトラブルがきわめて発生しにくい。
【００１７】
一方、パチンコ機１は、機構板３の第一部材５と第二部材６との連結部分の少なくとも一部に、導電性塗料からなる導電層２０を介在させたものであるため、製造時に機構板３の組み付けが容易であるにも拘わらず、機構板３の連結部分に静電気が溜まりにくく、機構板３の連結部分に滞留した静電気に起因したトラブルが発生しにくい。
【００１８】
加えて、パチンコ機１は、機構板３が、中継基板２２の設置部分に絶縁材料からなる絶縁層２３を介在させたものであるため、機構板３に滞留した静電気が中継基板２２に流れることによるトラブルが発生しにくい。
【００１９】
なお、本発明のパチンコ機の構成は、上記実施形態の態様に何ら限定されるものではなく、外枠、ミドル枠、機構板、遊技球タンク、上皿、下皿、導電層、絶縁層等の形状・構造等の構成を必要に応じて適宜変更することができる。
【００２０】
たとえば、パチンコ機は、遊技球タンク、機構板、下皿が、帯電防止剤・導電性材料を含んだ合成樹脂によって形成されたものに限定されず、上皿や前枠等の他の部材が、帯電防止剤・導電性材料を含んだ合成樹脂によって形成されたものでも良い。なお、上述の如く、遊技球タンク、機構板、下皿は、特に静電気が溜まり易い部材であるので、これらの部材のみを帯電防止剤・導電性材料を含んだ合成樹脂によって形成した場合には、パチンコ機は、安価に製造できるにも拘わらず、静電気滞留防止性能に優れたものとなる。また、遊技部材は、帯電防止剤・導電性材料を含んだ合成樹脂を用いた射出成形等によって一体的に形成されたものに限定されず、一部のみが帯電防止剤・導電性材料を含んだ合成樹脂によって形成されたものや、帯電防止剤・導電性材料を含んだ合成樹脂からなる塗料を表面に塗布したもの等でも良い。さらに、遊技部材とミドル枠との接触部分における静電気の滞留を防止する方法は、上記実施形態の如く、遊技部材に鉄板を当着する方法に限定されず、遊技部材のミドル枠との接触部分に、導電性材料を含んだ合成樹脂によって形成された部品を取り付け（たとえば、導電性材料を含有したポリオレフィン製のシールを貼り付け）、その部品を介して遊技部材をミドル枠と接触させる（接触するように遊技部材をミドル枠に設置する）方法や、遊技部材のミドル枠との接触部分に導電性塗料を塗布し、その塗布部分をミドル枠と接触させるようにして遊技部材をミドル枠に設置する方法等でも良い。かかる構成を採用した場合でも、遊技部材とミドル枠との接触部分における静電気の滞留を効果的に防止することができる。
【００２１】
一方、機構板は、２個の部材を連結してなるものに限定されず、３個以上の部材を連結してなるものでも良い。加えて、上記実施形態の如く、部材と部材との連結部分に導電性塗料を介在させたものに限定されず、部材と部材との連結部分に銅、鉄、金等の高い導電性を有する金属板あるいは金属箔を挟み込んだものでも良い。かかる構成を採用した場合でも、上記実施形態と同様に、パチンコ機は、機構板の連結部分に静電気が溜まりにくく、機構板の連結部分に滞留した静電気に起因したトラブルが発生しにくいものとなる。
【００２２】
また、ミドル枠は、全体が金属によって形成されたものに限定されず、一部が合成樹脂等によって形成されたものでも良い。なお、一部を合成樹脂等によって形成したミドル枠を用いる場合には、帯電防止剤・導電性材料を含んだ合成樹脂によって形成された遊技部材を、ミドル枠の金属部分と接触させた状態で設置する必要がある。
【００２３】
【発明の効果】
本発明のパチンコ機は、機構板の各部品の連結部分の少なくとも一部に、金属板および／または導電性材料を介在させたものであるため、製造時に機構板の組み付けが容易であるにも拘わらず、機構板の連結部分に静電気が溜まりにくく、機構板の連結部分に滞留した静電気に起因したトラブルが発生しにくい。
また、機構板び各部品が導電性材料或いは帯電防止剤を含有した合成樹脂からなるものであって、且つその一部をミドル枠に接触させた状態で設置しているため、各部品から金属製のミドル枠へと静電気が効率良く流れ、機台外部まで流れるので、静電気滞留防止性能に優れており、滞留した静電気に起因したトラブルが発生しにくい。
さらに、嵌合部と嵌合突起との間、すなわちミドル枠と遊技球タンクとの連結部分にも金属板および／または導電性材料を介在させているため、該連結部分に静電気が溜まりにくく、ミドル枠と遊技球タンクとの連結部分に滞留した静電気に起因したトラブルが発生しにくい。
【図面の簡単な説明】
【図１】パチンコ機の斜視図である。
【図２】パチンコ機の背面図である。
【図３】ミドル枠の斜視図である。
【図４】前枠および中扉を片開きしたパチンコ機の斜視図である。
【図５】機構板の斜視図である。
【図６】機構板の分解図である。
【図７】第一部材と第二部材との連結部分を拡大して示す説明図である。
【図８】基板設置部を拡大して示す説明図である。
【図９】遊技球タンクの設置状態を示す説明図である。
【符号の説明】
１・・パチンコ機、２・・ミドル枠、３・・機構板、４・・遊技球タンク、５・・第一部材、６・・第二部材、７・・通路部材、８・・遊技球払出装置、９・・入賞球排出装置、１１・・前枠、１２・・中扉、１３・・上皿、１４・・下皿、１５・・下側機能部、１６・・止着部材、１７・・外枠、１８・・膨出領域、１９・・嵌合部、２０・・導電層、２１・・基板設置部、２２・・中継基板、２３・・絶縁層、２４・・挿入口、２５・・嵌合突起、２６・・制御装置、２７・・電気・電子部品、２８・・鉄板。
【図１】
0003682852.tif 000002
【図２】
0003682852.tif 000003
【図３】
0003682852.tif 000004
【図４】
0003682852.tif 000005
【図５】
0003682852.tif 000006
【図６】
0003682852.tif 000007
【図７】
0003682852.tif 000008
【図８】
0003682852.tif 000009
【図９】
0003682852.tif 000010